(57)【要約】【課題】  マクロ撮影モード設定中である旨の警告を確実に促し、撮影の失敗を防止する。【解決手段】  撮影者は、マクロ警告設定画面から、警告の表示方法及び実施条件を予め設定しておく。静止画像を撮影する際、レリーズボタンを半押し操作すると、これに応答して、撮影モードがマクロ撮影モードに設定されているか否かが検知される。マクロ撮影モードが設定されている場合には、所定の実施条件に基づいて警告表示を実施するか否かが判定され、この判定結果に応じて警告表示が所定の表示方法で行われる。警告表示は、ＬＣＤパネル２１にアイコン８２ａ（８２ｂ）を一定時間拡大表示する視覚表示や、スピーカから警告メッセージを発する聴覚表示によって行われる。このような警告表示を行うことで、撮影者に、撮影環境に対してマクロ撮影モードが不適切であることを認識させる。【選択図】        図４
2005260792.tif 000002
【特許請求の範囲】
【請求項１】
標準撮影モードと、前記標準撮影モードではピント合わせが不可能な近距離の被写体の撮影が行われるマクロ撮影モードとの間でモード切り替えが可能なデジタルカメラにおいて、
シャッタボタンの押圧操作に応答して前記マクロ撮影モードに切り替えられているか否かを識別し、前記マクロ撮影モードに切り替えられているときには警告表示を行うことを特徴とするデジタルカメラ。
【請求項２】
前記警告表示が、撮影時の露光条件を決定するシャッタボタンの第１段押圧操作に連動して行われることを特徴とする請求項１記載のデジタルカメラ。
【請求項３】
前記警告表示が、被写体の静止画を撮影するシャッタボタンの第２段押圧操作に連動して行われることを特徴とする請求項１または２記載のデジタルカメラ。
【請求項４】
前記警告表示は、ファインダ画像または再生画像を表示する表示パネル上での視覚表示、またはスピーカによる聴覚表示によって行われることを特徴とする請求項１〜３のいずれか記載のデジタルカメラ。
【請求項５】
前記視覚表示または聴覚表示のいずれかを用いるかが設定可能であることを特徴とする請求項４記載のデジタルカメラ。
【請求項６】
前記マクロ撮影モードに切り替えられているときには、電源スイッチの投入時にも前記警告表示が行われることを特徴とする１〜５のいずれか記載のデジタルカメラ。
【発明の詳細な説明】
【技術分野】
【０００１】
本発明は、標準モードと、標準モードではピント合わせが不可能な近距離の被写体の撮影が行われるマクロ撮影モードとの間でモード切り替えが可能なデジタルカメラに関するものである。
【背景技術】
【０００２】
撮像光学系によって結像された被写体画像をＣＣＤイメージセンサなどで撮像し、ＣＣＤイメージセンサから出力された撮像信号から画像データを生成してメモリに記録するデジタルカメラが普及している。デジタルカメラの多くは、ポートレート、風景、スポーツといった撮影シーンに応じて、複数の撮影モードを設定する機能を備えている。各撮影モードでは、各モード毎に予め設定された撮影条件に基づいて撮影が行われる。
【０００３】
複数の撮影モードには、近接撮影に適したマクロモードがある。マクロモードは、標準モードではピント合わせが不可能な近距離でのみピントを合わせることができるようにしている。このようなマクロモード下でうっかりして標準撮影（中、遠距離の撮影）を行うと、目的の被写体にピントが合わずにピンボケしてしまう。こういった問題を回避するため、マクロモードにおいて撮影者に対して警告を促す必要がある。
【０００４】
例えば、特許文献１には、マクロモードと、通常撮影範囲のアスペクト比に対して横比率を大きくするパノラマモードとが同時に設定された場合、警告用ＬＥＤを点灯することで撮影者に設定が不適切である旨を警告するカメラが提案されている。また、マクロモードが設定されている間、モニタにアイコンを継続して表示したり、マクロモードが設定されると同時に、アイコンを一定時間拡大表示するようにして、警告を視覚的に表すデジタルカメラがある。モニタのアイコンを見た撮影者は、マクロモード設定中であることに気付く。そして、現行の撮影シーンにおいてマクロモード設定を不要と判断すると、モード設定を解除する。
【０００５】
【特許文献１】特開平６−１９４７３２号公報
【発明の開示】
【発明が解決しようとする課題】
【０００６】
上述したような視覚表示によって警告を行うデジタルカメラは、撮影を行う直前あるいは瞬間に、アイコンを拡大表示するといったインパクトのある警告を発しない。このため、マクロモードを示すアイコンがモニタに表示されているにも関わらず、撮影者はマクロモード設定中であることに気付かずに撮影を実施してしまい、撮影が失敗する可能性があった。
【０００７】
本発明は、マクロモード設定中である旨の警告を確実に促し、撮影の失敗を防止することができるデジタルカメラを提供することを目的とする。
【課題を解決するための手段】
【０００８】
本発明のデジタルカメラは、標準撮影モードと、標準撮影モードではピント合わせが不可能な近距離の被写体の撮影が行われるマクロ撮影モードとの間でモード切り替えが可能であり、シャッタボタンの押圧操作に応答してマクロ撮影モードに切り替えられているか否かを識別し、マクロ撮影モードに切り替えられているときには警告表示を行うことを特徴とする。
【０００９】
警告表示が、撮影時の露光条件を決定するシャッタボタンの第１段押圧操作に連動して行われるようにしても良いし、被写体の静止画を撮影するシャッタボタンの第２段押圧操作に連動して行われるようにしても良い。また、警告表示は、ファインダ画像または再生画像を表示する表示パネル上での視覚表示、またはスピーカによる聴覚表示によって行われることが好ましく、視覚表示または聴覚表示のいずれかを用いるかが設定可能であることが好ましい。さらに、マクロ撮影モードに切り替えられているときには、電源スイッチの投入時にも警告表示が行われることが好ましい。
【発明の効果】
【００１０】
本発明によれば、シャッタボタンの押圧操作に応答してマクロ撮影モードに切り替えられているか否かを識別し、マクロ撮影モードに切り替えられているときには警告表示を行うにしたから、撮影者に対してマクロモード設定中である旨の警告を確実に促し、撮影の失敗を防止することができる。
【００１１】
視覚表示または聴覚表示のいずれかを用いるかが設定できるから、デジタルカメラの操作性を向上できる。
【発明を実施するための最良の形態】
【００１２】
図１に示すデジタルカメラ１０は、本体１１前面に撮影レンズが組み込まれたレンズ鏡筒１２が設けられており、本体１１上面には電源スイッチ１３及びレリーズボタン１４が設けられている。レリーズボタン１４は、２段階押圧式のスイッチとなっており、レリーズボタン１４が軽く押圧されてレリーズボタン１４の１段目がオンすると（半押し）、撮影レンズの焦点調整や露出調整などの各種撮像準備処理が行われる。次いで、レリーズボタン１４がさらに深く押し込まれてレリーズボタン１４の２段目がオンすると（全押し）、ＣＣＤイメージセンサから得られる撮像信号に基づいて被写体の静止画像データをメモリーカードに記録する撮像処理が行われる。
【００１３】
本体１１背面には、ファインダ接眼窓１５、モード切り替えスイッチ１６、汎用キー１７、メニューボタン１８、キャンセルボタン１９、ディスプレイボタン２０、ＬＣＤパネル２１、スピーカ２２が設けられている。ファインダは、対物レンズと接眼レンズとからなる光学系ファインダとなっている。ファインダ接眼窓１５の図中左には、警告ランプ２３が設けられている。撮影者はファインダを覗きながら、警告ランプ２３の点灯を確認することができる。
【００１４】
モード切り替えスイッチ１６は、撮像処理を行う撮影モードと、メモリーカードの記録画像をＬＣＤ（Liquid Crystal display）パネル２１に再生表示する再生モードとを切り替える。ＬＣＤパネル２１は、再生モードの際に再生画像を表示する他、撮影モードの際には被写体確認用のスルー画を表示する電子ビューファインダとしても機能する。。また、ＬＣＤパネル２１は、各種設定を行う設定画面を表示する。
【００１５】
メニューボタン１８を押下すると、ＬＣＤパネル２１に設定画面が表示され、撮影モードあるいは再生モードからセットアップモードへ移行する。この設定画面では、「記録画素数」、「ＩＳＯ感度」、「シーンセレクト」などの画質調整に関する項目や、「日付／時刻」、「言語」、「マクロモード警告」などの画質調整以外の項目などの設定が行われる。デジタルカメラ１０は、この設定画面で設定された条件に応じて動作する。メニューボタン１８は、選択した項目や処理を確定したり実行するための確定／実行ボタンとしても機能する。
【００１６】
汎用キー１７は、再生する画像を選択したり、設定画面内のカーソルを移動するカーソルシフトキーとして機能する。汎用キー１７は、カーソルを左右方向に移動させる左シフトキー１７ａ及び右シフトキー１７ｃ、上下方向に移動させる上下シフトキー１７ｂからなる。左右の各シフトキー１７ａ，１７ｃは、押しボタン式であり、上下シフトキー１７ｂは、水平方向の軸を中心に上下方向に揺動自在に設けられている。また、上下シフトキー１７ｂは、撮影モードで動作している場合には、ズームボタンとして機能する。キャンセルボタン１９は、選択した項目や操作をキャンセルする。ディスプレイボタン２０は、ＬＣＤパネル２１をオン／オフするボタンである。
【００１７】
「シーンセレクト」の設定画面では、撮影シーンに応じて複数の撮影モードを選択できるようになっている。選択項目には、例えば、人物撮影に適した「ポートレート」、風景撮影に適した「風景」、近接撮影に適した「マクロ」などがある。これらの選択は、カーソルを移動して所望の項目を選択した後、再度メニューボタン１８を押下すると、選択した項目が確定され設定される。そして、ＬＣＤパネル２１から、設定画面が消え、元の画面に復帰する。
【００１８】
図２は、デジタルカメラ１０の電気構成の概略を示すブロック図である。システムコントローラ４１は、デジタルカメラ１０の各部を制御する。ＲＯＭ４２には、制御プログラムや、設定画面などの各種画面データが記憶されている。システムコントローラ４１は、操作部（レリーズボタン１４、汎用キー１７、メニューボタン１８など）４４から入力される操作信号に基づいて、制御プログラムに記述されるステップに従って制御を行う。ＲＡＭ４３は、システムコントローラ４１が制御プログラムを実行するための作業用のメモリである。
【００１９】
レンズ鏡筒１２内には、ズームレンズ４５及びフォーカスレンズ４６からなる撮影レンズと、絞り機構４７とが組み込まれている。ズームレンズ４５及びフォーカスレンズ４６は、ドライバ回路を備えたズームモータ４８及びフォーカスモータ４９によって光軸方向に沿って移動され、光学撮影倍率の変更と、焦点調整とが行われる。絞り機構４７は、ドライバ回路を備えたアクチュエータ５０によって駆動され、絞り径が切り換えられる。
【００２０】
フォーカスレンズ４６の背後には、ＣＣＤイメージセンサ５１が配置されている。ＣＣＤイメージセンサ５１は、周知のように、多数の受光素子をマトリックス状に配列された光電面を備えており、撮影レンズ４５，４６及び絞り機構４７を通過して光電面に結像した被写体光を光電変換する。
【００２１】
ＣＣＤイメージセンサ５１は、ＣＣＤドライバ５２によって駆動される。ＣＣＤイメージセンサ５１の電荷蓄積時間（露出時間）は、ＣＣＤドライバ５２から供給される電子シャッタ駆動信号に応じて決められる。そして、ＣＣＤドライバ５２から供給される垂直転送クロック及び水平転送クロックに同期して、画素毎に蓄積された電荷が１ラインずつシリアルな撮像信号として出力される。
【００２２】
ＣＣＤイメージセンサ５２から出力された撮像信号は、相関二重サンプリング処理によってノイズが除去されるとともに、アンプ５３によって増幅された後、ＡＤコンバータ５４に入力される。Ａ／Ｄコンバータ５４は、撮像信号をデジタル変換して画像データを生成し、これを画像データ処理回路５５に入力する。
【００２３】
画像データ処理回路５５は、入力された画像データに対して、マトリックス演算処理、ホワイトバランス調節、ガンマ補正などの各種画像処理を施す。画像処理済みの画像データは、フレームメモリ５６に一時的に記憶される。このフレームメモリ５６に記憶された画像データがＬＣＤパネル２１にスルー画として表示される。
【００２４】
撮像処理が実行されると、フレームメモリ５６に記憶されている画像データが圧縮伸張回路５７へ送られる。圧縮伸張回路５７は、画像データに対して圧縮処理を施し、これをリードライト回路５８へ出力する。リードライト回路５８は、圧縮された画像ファイルをメモリーカード５９へ書き込む。再生モードでは、リードライト回路５８がメモリーカード５９から画像ファイルを読み出した後、圧縮伸張回路５７によって伸張処理が施され、ＬＣＤパネル２１に出力される。
【００２５】
ＡＦ回路６０は、フレームメモリ５６の記憶画像データに基づいて焦点位置を検出する。焦点位置検出方式としては、例えば、ピントが合った状態では画像のコントラストが高くなるという特徴を利用して焦点位置を検出するパッシブ方式が採用されている。
【００２６】
ＡＥ／ＡＷＢ回路６１は、フレームメモリ５６の記憶画像データに基づいて被写体輝度を測定し、この測定値から、絞り値や露出時間、図示しないストロボを発光させるか否か（ストロボ発光の有無）、及び、ホワイトバランス補正値を演算により求める。
【００２７】
ＡＦ回路６０及びＡＥ／ＡＷＢ回路６１によって求められた焦点距離、絞り値、露出時間などの露光条件は、システムコントローラ４１によってＲＡＭ４３に書き込まれる。システムコントローラ４１は、この露光条件と、前記設定画面で設定された条件とに基づいて各部を動作させ、撮像処理を実行する。
【００２８】
デジタルカメラ１０は、「シーンセレクト」（撮影モード）の設定画面で「マクロ」が選択された場合、マクロ撮影モードであり、「マクロ」を除く他の項目が選択された場合、標準撮影モードであるとする。撮影者によってレリーズボタン１４が押圧されると、これに応答して撮影モードがマクロ撮影モードに設定されている否かが検知される。マクロ撮影モードが設定されている場合には、デジタルカメラ１０がマクロ撮影モード設定中である旨の警告表示が行われる。
【００２９】
デジタルカメラ１０には、警告タイプ設定用メモリ６２が設けられており、この警告タイプ設定用メモリ６２には、ＬＣＤパネル２１に、「マクロ撮影警告」の設定画面（以下、マクロ撮影警告設定画面という）を表示するための画面データが記憶されている。撮影者は、このマクロ撮影警告設定画面から、マクロ撮影モード設定における警告の表示方法及び実施条件を設定できる。
【００３０】
マクロ撮影警告設定画面は、２つのサブ画面７１，７２から構成されており、図３（Ａ）に示すように、サブ画面７１は、表示方法設定画面であり、図３（Ｂ）に示すように、サブ画面７２は、実施条件設定画面である。これら２つのサブ画面７１，７２は、選択的に表示される。選択されていないサブ画面のタグは、グレイアウトして表示される。これら各サブ画面７１，７２の切り替えは、左右シフトキー１７ａ，１７ｃによって行われる。
【００３１】
サブ画面７１には、例えば「アイコン」、「音声」、「ランプ」などの選択可能な表示方法が示される。。各表示方法の左側には、チェックボックス７３が設けられている。カーソル７４を移動していずれかの表示方法が選択され、該当表示方法のチェックボックス７３がチェックされることで、警告の表示方法が設定される。撮影者は、同様の操作により複数の表示方法を設定する。
【００３２】
各警告種類の内容について説明する。「アイコン」がチェックされた場合、警告を表すアイコンがＬＣＤパネル２１に表示される。「音声」がチェックされた場合、警告音発生回路６４が駆動され、スピーカ２２から警告メッセージが発せられる。「ランプ」がチェックされた場合、警告ランプ２３が点灯される。これら各警告種類による警告のタイミングは、撮影者がレリーズボタン１４を半押ししたときとする。複数の表示方法がチェックされた場合、複数の警告表示が同時に実施される。
【００３３】
チェック済みの警告種類にカーソル７４を合わせた状態で、右シフトキー１７ｃを押圧すると、各表示方法の右側には、各表示方法の詳細設定画面７５が表示される。この詳細設定画面７５では、各表示方法毎の表示方法が設定される。図３（Ａ）に示すように、アイコンの詳細設定画面７５には、例えば「拡大」、「点滅」、「グラデーション」などの選択可能なアイコン表示方法が表示される。カーソル７６を移動してこれらのいずれかを選択することでアイコン表示方法が設定される。
【００３４】
図４は、表示方法に「アイコン」が選択され、選択した「アイコン」の表示方法に「拡大」が選択されたときの警告表示を示す。この場合、モード切り替えスイッチ１６を操作して撮影モードが設定されると、ＬＣＤパネル２１が自動的にオンされ、これにスルー画が表示される。ＬＣＤパネル２１には、スルー画の他に、撮影モードがマクロ撮影モードに設定されている場合、マクロ撮影モード設定中である旨を報知するアイコン８２ａ（図４（Ａ）中点線で示す）が表示される。
【００３５】
静止画撮影では、ピントを合わせたい被写体８１ａを撮影フレーム中央に配置し、この状態でレリーズボタン１４を半押しする。このとき、アイコン８２ａは、サイズが徐々に拡大しつつ、その位置がＬＣＤパネル２１左上から中央に移動したアイコン８２ｂになる。このアイコン８２ｂは、図４（ａ）の状態を一定時間保持すると、元のアイコン８２ａの状態（ＬＣＤパネル２１左上での最小サイズ）に戻る。この後、図４（Ｂ）に示すように、撮影フレームの中心を被写体８１ａと被写体８１ｂとの間に合わせ（フレーミング）、レリーズボタン１４を全押しして撮影を行う。アイコン８２ｂがＬＣＤパネル２１中央で最大サイズを保持する時間は、撮影者によって設定可能であり、フレーミングの邪魔になることはない。
【００３６】
図３（Ｂ）において、サブ画面７２には、例えば「ＯＦＦ」、「ＡＦ設定」、「ＡＥ設定」などの選択可能な実施条件が表示される。これら各実施条件の選択は、表示方法の選択と同様にカーソル７８によって行われ、所望の実施条件のチェックボックス７７がチェックされることで、警告の実施条件が設定される。デジタルカメラ１０では、いずれか１つの実施条件を設定可能とする。
【００３７】
各実施条件の内容について説明する。「ＯＦＦ」がチェックされた場合、マクロ撮影モード設定における警告の機能自体が停止され、警告表示は否応なしに禁止される。「ＡＦ設定」あるいは「ＡＥ設定」がチェックされた場合、現行の撮影環境に対してマクロ撮影モードが不適切であるか否かが判定される。この判定には、「ＡＦ設定」の設定ではＡＦ回路６０が用いられ、「ＡＥ設定」の設定ではＡＥ回路６１が用いられる。
【００３８】
ＡＦ回路６０は、撮影レンズから焦点位置までの間の距離（焦点距離）を、ＡＥ回路６１は、被写体の画像データから被写体輝度を測定してシステムコントローラ４１に送る。システムコントローラ４１は、ＡＦ回路６０からの焦点距離が、予め設定された基準距離よりも長い場合、あるいは、ＡＦ回路６０で焦点距離が測定されない場合、マクロ撮影モードが現行の撮影環境に不適切と判定する。また、ＡＥ回路６１からの被写体輝度が、予め設定された基準輝度よりも低い場合、マクロ撮影モードが不適切と判定する。システムコントローラ４１は、現行、マクロ撮影モードが設定されているとともに、現行の撮影環境に対してマクロ撮影モードが不適切と判定した場合に、マクロ撮影モード設定中である旨の警告を、予め設定された表示方法で行う。
【００３９】
以下、上記構成による作用について説明する。撮影者は、予め、マクロ撮影モード設定における警告の表示方法及び実施条件を設定しておく。警告の表示方法及び実施条件の設定では、まず、ＬＣＤパネル２１に、サブ画面７１，７２から構成されたマクロ警告設定画面を表示する。撮影者は、複数の表示方法が表示されるサブ画面７１で「アイコン」及び「メロディ」を選択する。選択された「アイコン」の表示方法には「拡大」を選択する（図３（Ａ））。また、複数の実施条件が表示されるサブ画面７２で「ＡＦ設定」を選択する（図３（Ｂ））。
【００４０】
花の近接撮影を行う際、まず、撮影者によってレリーズボタン１４が半押しされ、撮像処理を行うための露光条件が設定される。この露光条件の設定と同時に、撮影モードがマクロ撮影モードに設定されているか否かが検知される。マクロ撮影モードに設定されている場合、予め設定された実施条件に基づいて現行の撮影環境に対してマクロ撮影モードが適切であるか否かの判定がなされる。ＡＦ回路６０によって測定された焦点距離が基準距離よりも長いことから、マクロ撮影モードは不適切と判定され、警告表示が行われる。
【００４１】
警告表示は、予め設定された各表示方法で同時に行われる。「アイコン」の警告表示では、ＬＣＤパネル２１にアイコン８２ａ（８２ｂ）が一定時間拡大表示される（図４（Ａ））。「メロディ」の警告表示では、スピーカ２２から警告メッセージが発っせられる。これら警告表示が行われることで、撮影者は、マクロ撮影モードが設定されているが、これが撮影環境に適していないことを認識し、撮影環境に対応する撮影モードに切り替える。この後、撮影者によってレリーズボタン１４が全押しされると、撮像処理が実行され、被写体の静止画がメモリーカード５９に記録される。
【００４２】
上述したとおり、マクロ撮影モード設定における警告表示を、レリーズボタン１４の押圧操作に応答して行うようにしたので、撮影者は確実にマクロ撮影モード設定中であることを認識でき、失敗のない撮影を行うことができる。また、アイコン８２ｂ（８２ｂ）や警告ランプ２３による視覚表示、及び、警告音による聴覚表示の少なくともいずれか一方が選択可能であり、さらに、警告表示の実施条件を選択可能にしたから、デジタルカメラ１０の操作性を向上できる。
【００４３】
上記実施形態では、ＬＣＤパネル２１にアイコン８２ａ（８２ｂ）を表示することで警告表示を行ったが、アイコンの代わりに、文字や画像を表示しても良い。また、スピーカ２２から警告メッセージを発生したが、警告メッセージの代わりビープ音などの警告音を発生しても良い。
【００４４】
上記実施形態では、レリーズボタン１４の半押し操作に応答して警告表示を行うようにしたが、全押し操作に応答して行っても良い。この場合、警告表示は、半押し操作の場合と同じでなくても良い。例えば、ＬＣＤパネル２１に、被写体の画像データを低輝度部分が自動的に拡大するように表示する。これにより、撮影者に対して撮影画像データの確認を促す。
【００４５】
上記実施形態では、レリーズボタン１４の半押し操作に応答して、警告表示を一度行うだけであったが、警告表示は一度に限定されず、半押し操作に加え、例えば、電源立ち上げ操作や、動作モード及び撮影モードの切り替え操作に応答して警告表示を行っても良い。
【００４６】
上記実施形態では、実施条件に、撮影環境に対してマクロ撮影モードが適切であるか否かの判定を行う「ＡＦ設定」及び「ＡＥ設定」の項目を設け、マクロ撮影モードが不適切と判定されると警告表示を行うようにしたが、これら項目の他、ストロボモードの項目を含めても良い。ストロボモードの項目としては、例えば「オート」、「強制発光」、「スローシンクロ」などがある。この場合、デフォルトで、例えば「強制発光」を設定すると良い。
【００４７】
上記実施形態では、静止画を記録するデジタルスチルカメラを例に説明したが、動画を記録するビデオカメラに適用しても良い。
【図面の簡単な説明】
【００４８】
【図１】デジタルカメラの外観斜視図である。
【図２】デジタルカメラの電気構成を示すブロック図である。
【図３】マクロ警告設定画面の説明図である。
【図４】表示方法「アイコン」の警告表示を示す説明図である。
【符号の説明】
【００４９】
１０  デジタルカメラ
１３  電源スイッチ
１４  レリーズボタン
１６  モード切り替えスイッチ
２１  ＬＣＤパネル
２２  スピーカ
４１  システムコントローラ
６２  警告タイプ設定用メモリ
７１，７２  サブ画面
【図１】
2005260792.tif 000003
【図２】
2005260792.tif 000004
【図３】
2005260792.tif 000005
【図４】
2005260792.tif 000006